(57)【特許請求の範囲】
【請求項１】
物質を切断可能および／または除去可能である連続的なチェーンを有しているアンダーカッターであって、
ａ．連続的なチェーンと、
ｂ．上記チェーンを駆動するための駆動手段と、
ｃ．末端部および基台側端部ならびに上部表面および底部表面を有している細長く硬質なバー状の部材と、
ｄ．上記チェーンを受けつつ、上記バー状の部材の周りに上記チェーンをガイドするためのチャンネル手段と、を備えており、
上記チャンネル手段は、
上記上部表面に取り付け可能であり、上部延伸部を形成するために上記上部表面を越えて延伸している上部部分と、
上記底部表面に取り付け可能であり、底部延伸部を形成するために上記底部表面を越えて延伸している底部部分と、を備えており、
上記上部延伸部および上記底部延伸部は、実質的に上記チャンネル手段を形成しており、
上記上部部分および上記底部部分の少なくとも１つは、上記チェーンを取り外せるように取り外し可能であり、
上記上部部分および上記底部部分の何れか一方は、上記上部部分および上記底部部分をそれぞれ上記上部表面および上記底部表面に取り外し可能に取り付ける手段を伴う、２つの端部を有している少なくとも２つの実質的に硬質なセグメントを備えている、
ことを特徴とするアンダーカッター。
【請求項２】
物質を切断可能および／または除去可能である連続的なチェーンを有しているアンダーカッターであって、
ａ．連続的なチェーンと、
ｂ．上記チェーンを駆動するための駆動手段と、
ｃ．末端部および基台側端部ならびに上部表面および底部表面を有している細長く硬質なバー状の部材と、
ｄ．上記チェーンを受けつつ、上記バー状の部材の周りに上記チェーンをガイドするためのチャンネル手段と、を備えており、
上記チャンネル手段は、
上記上部表面に取り付け可能であり、上部延伸部を形成するために上記上部表面を越えて延伸している上部部分と、
上記底部表面に取り付け可能であり、底部延伸部を形成するために上記底部表面を越えて延伸している底部部分と、を備えており、
上記上部延伸部および上記底部延伸部は、実質的に上記チャンネル手段を形成しており、
上記上部部分および上記底部部分の少なくとも１つは、上記チェーンを取り外せるように取り外し可能であり、
上記上部部分および上記底部部分は、自セグメントを上記上部表面および上記底部表面に取り外し可能に取り付ける手段を伴う複数の実質的に硬質なセグメントをそれぞれ備えている、
ことを特徴とするアンダーカッター。
【請求項３】
上記セグメントは、上記チェーンからの磨耗を防止するように取り付けられている磨耗防止手段を有している、
ことを特徴とする請求項１または２に記載のアンダーカッター。
【請求項４】
上記防止手段は、炭化クロムメッキを含んでいる、
ことを特徴とする請求項３に記載のアンダーカッター。
【請求項５】
上記セグメントは、リバーシブルである、
ことを特徴とする請求項３に記載のアンダーカッター。
【請求項６】
上記セグメントは、リバーシブルである、
ことを特徴とする請求項４に記載のアンダーカッター。
【請求項７】
少なくとも２つのセグメントは、相互交換可能である、
ことを特徴とする請求項１または２に記載のアンダーカッター。
【請求項８】
少なくとも２つのセグメントは、相互交換可能である、
ことを特徴とする請求項３に記載のアンダーカッター。
【請求項９】
少なくとも２つのセグメントは、相互交換可能である、
ことを特徴とする請求項４に記載のアンダーカッター。
【請求項１０】
少なくとも２つのセグメントは、反転可能である、
ことを特徴とする請求項１または２に記載のアンダーカッター。
【請求項１１】
上記セグメントは、反転可能である、
ことを特徴とする請求項４に記載のアンダーカッター。
【請求項１２】
上記セグメントは、反転可能である、
ことを特徴とする請求項５に記載のアンダーカッター。
【請求項１３】
各セグメントの上記端部は、上記セグメントの上記端部において上記チェーンの巻き込まれ防止手段を有している、
ことを特徴とする請求項１または２に記載のアンダーカッター。
【請求項１４】
上記チェーンの巻き込まれ防止手段は、上記端部の面取りを含んでいる、
ことを特徴とする請求項８に記載のアンダーカッター。
【発明の詳細な説明】
【発明の詳細な説明】
【０００１】
［背景技術］
本発明は、アンダーカッターの分野に関する。アンダーカッターは、鉄道線路の真下から汚れた礫を掘り出すために用いられる。これらの装置は、チェーンソーと同様に、細長いバーの回りの駆動手段により駆動されるチェーンのメカニズムを用いている。しかしながら、アンダーカッターは、より大きなチェーンおよび切断メカニズムを利用しつつ、極端に磨耗が生じる環境に存在している。それ故に、本来、チェーンは、非常に重たく数百ポンドもあり、交換のためにバーに接近してチェーンを持ち上げたり取り外したりするために２人以上の人が必要であるが、このようなことを野外において持ち上げ装置無しに行うことは困難である。特に、所定の時間が経過した後に、バーの所定のパーツが磨耗し交換が必要になる。これには、パーツの交換またはメンテナンスのためにバーに接近し、時間を浪費し手間が掛かるうえに困難なチェーンの取り外しを行うために機械を停止させる必要がある。それが、線路外のアンダーカッターであろうと、線路上のアンダーカッターであろうと、チェーンは、緩められるか、取り外されるか、または、分解されなければならない。
【０００２】
それ故に、簡単に交換可能であるパーツを有することが好ましい。チェーンの取り外しは、従来技術における重要な要求であり、結果的に機械が作動しない多大なる中断時間をもたらすことになる。チェーンを取り外してパーツを交換する必要がないのであれば、これにより、多大なる時間、費用、労力および怪我等が顕著に低減され、また結果的に機械を利用したより多くの作業時間が確保できる。所定の装置は、数百時間毎にメンテナンスを必要とするので、この種のメンテナンスにおいてチェーンが取り外される必要がなければ、数千ドルが節約され得ると推測される。更に、チェーンは、一部の領域ではバーのパーツを他の領域より磨耗するようになる。例えば、バーにおける切断面（物質が切断される面）は、切断面側でのチェーンおよびバーに対する付加的圧力によって、より早く磨耗するようになる。
【０００３】
従来技術では、自セグメントの内部にてチェーンが移動してガイドされる、取り外し可能なＣ形鋼のセグメントが開示されている。しかしながら、これらの磨耗したパーツの交換には、チェーンを実際に取り外すことが必要である。また、Ｃ形鋼全体は、第一に使用に適しておらず、交換が必要である。本発明は、一部が磨耗しても、逆にしたり、回転させたり、反転させたり、および／または、相互交換させたりすることにより継続使用可能なパーツを提供する。これだけでも重要であるが、チェーンを取り外したり緩めたりすること無くこれを実行できることにも意味がある。対象となるメンテナンスにおいて、個別の特に磨耗が激しい部分を比較的早く交換することが可能になる。換言すれば、使用者は、チェーンを取り外さなればならない場合、上述の困難性により、チェーンを取り外している間に、全てのパーツではないにしろ、より多くのパーツを交換するであろう。このようなことは、十分に磨耗しているパーツのみが交換または変更される本発明には当てはまらない。
【０００４】
本発明は、構造的な強度を維持しつつチェーンガイド用チャンネルを提供するように、上部部分および底部部分に螺合されている部位の組を備えている。これにより、チェーンを実質的に所定の位置に留めつつ、バーの上部および底部を取り外すことによって、対象となる取り外しが簡単になる。バーを交換する必要がなく、チェーンを取り外したり緩めたりする必要もない。また、例えば切断面側において最大限に磨耗しているパーツは、セグメントの未磨耗部分を利用するために、それらを裏面または他の位置に反転させたり、逆にしたり、回転させたり、または、相互交換させたりすることによって引き続き使用され得る。最初から小さく、余り高価ではないこれらのパーツは、従来技術のパーツと比べて２倍の寿命を有し得る。更に、これらのパーツは、典型的に、十分に磨耗したうえで廃棄される。更に、バーのパーツは高価で重く（それぞれが百ポンドにまで及ぶ）、平面形状であるが故に、当該パーツは、研削および上塗りすることによって、研ぎ直され再生利用される。
【０００５】
それ故に、本発明の目的は、チェーンを取り外すこと無く、バーおよびバーに関するパーツのメンテナンスを簡単に実行でき、かつ、相互交換可能なパーツを再利用できるアンダーカッター装置を提供することにある。また、本発明の目的は、アンダーカッターのためのメンテナンスが簡単なバーの構造を提供することにもある。それは、メンテナンスするためにより安全であり、数百ポンドであるチェーンの取り外しの際に特有な怪我の可能性を最小限にする。また、それは、メンテナンス中の機械の中断時間をより少なくでき、これにより、機械をより長く適正に使用することができる。他の特徴および目的は、本明細書における開示から明白となるであろう。
【０００６】
［図面の簡単な説明］
・図１は、アンダーカッターのバーの発明を示す部分分解図である。
・図２は、所定の位置にチェーンを伴っている、図１のアンダーカッターのバーの発明を示す図である。
・図３は、上部部品の１つを示す図である。
・図４は、本発明に係るバーの後方図である。
【０００７】
［発明の詳細］
本発明は、図１におけるチェーンを伴わない、部分分解された形態にて示されている。基台１は、基台１付近の基台側端部および反対の末端部５を備えている。各端部付近のスプロケット２および５は、チェーンガイド兼駆動手段を備えている。チェーンは、図２におけるバー上に示されている。
【０００８】
好適な実施形態において、バー１０は、細長く硬質な部材である中央の主要なバー２０を有している。１つの形成方法には、図４における互いに溶接されている少なくとも３つの細長い部材、すなわち、２つの外側の部材６および８、ならびに、少なくとも１つの中間の部材７が含まれている。中間の部材は、溶接部または複数の溶接部が、チャンネル１８へ十分に延伸しないように１６において主に自凹部の内側に位置できるように、少なくとも一部において凹部を有している。
【０００９】
主要なチャンネル１８が、取り外し可能な上部部分および／または底部部分を有するように形成される。好適なモードにおいて、複数（２つ以上）の上部部分９、１１および１３が、バーの上部を形成し、チェーンが移動する主要なチャンネル１８の上部を形成する（図４ａ）。一方、複数のセグメント１５、１７および１９が、上記チャンネルの底部を形成する。
【００１０】
これらのセグメント９、１１、１３、１５、１７および１９は、それぞれが２つの端部を有しており、中央の主要なバー２０の上面５０および底面５２において、主要なバーに当該端部を取り外し可能に取り付ける手段を有している硬質な部材である。好適なモードにおいて、各々がセグメント１１と同様であるが同一の長さでなくてもよい３つのセグメントが、上部に、特に端部から端部にまで存在している。各セグメントは、ネジ孔２５において各セグメントを固定するためにボルト２１が用いられる孔２３を有している。セグメントが所定の位置に反転されつつ、セグメントの使用寿命を更に延ばすために片面から螺合されるように、当該孔は、ドリルで開けられているか、および／または、配置されている。
【００１１】
出来る限り多くのセグメントが、同一の長さおよびサイズであることが好ましい。標準的なアンダーカッティングメカニズムは、底部のセグメントが、上部のセグメントに比べ、基台に対して更に延伸する必要がある。好適なモードにおいて、相互交換可能な少なくとも２つのセグメントが存在しており、示されているように、５つのセグメント１１、１３、１５、１７および１９が同一の長さである。セグメント９のみが短い。また、セグメント１３および１９は、主要なバー内部のチェーン調整メカニズムにアクセスするためのアクセス手段４５を内部に有している。このアクセス手段４５は、セグメント１３および１９の各々において、１つの細長いボルトおよびナットにより保持されている取り外し可能なプラグにより構成されている。５つの全てのセグメントを相互交換可能にするために、各セグメントは、プラグ手段４５を受けるために内部に形成された同一の孔を有し得る。
【００１２】
本明細書にて用いられている「相互交換可能」という用語は、１つのプレートが複数の位置において取り付けられ得ることを意味している。セグメントは、リバーシブルでもある。「リバーシブル」という用語は、セグメントを裏返さないで回転させることを意味している。セグメントは所定の位置に反転可能であり、「反転可能」という用語が、セグメントが裏返して用いられ得ることを意味している。
【００１３】
各セグメントの端部は、セグメントの表面およびエッジ部分に亘り、挟まれたり巻き込まれたりすること無く、簡単にチェーンを移動させる手段を、少なくとも一方の側に有している。好適なモードでは、図３における面取り手段５５が存在している。セグメントが所定の位置にて反転可能に製作されている場合、これらの面取り手段は、セグメントの６０において反対側にも形成される。「面取り手段」とは、セグメントの端部９および４０に対して傾斜していること、または、厚さが徐々に減少していることを表している。
【００１４】
典型的なセグメントは、代表的な孔２３を有しており、長時間に亘るチェーンの移動による磨耗および千切れを防止するために付加された炭化クロムメッキを更に有している、図３における好適なモードにおいて更に示されている。最初に磨耗して交換されるのは、全体のバーよりもむしろこれらのセグメントである。上述のように、従来技術のバーは、一般に、全体的に交換することが必要である。または、従来技術のバーがＣ形鋼のセグメントを含む場合、従来技術のバーは、少なくとも主要な部分を交換する必要がある。上部および底部のセグメントは、図示のように中央の主要なバーに固定して螺合される場合、簡単に交換可能かつ再利用可能な装着パーツを目的とする細長く硬質な部材を形成する。また、平面形状であるが故に、当該パーツは再生利用および研ぎ直しされる。
【００１５】
使用の際に、チェーンが、主に上部および底部のセグメントにて、最終的にチャンネルを磨耗する場合、セグメントは、チェーンを取り外したり緩めたりする必要無しに、単にボルトを取り外すことによって取り外される。セグメントは、必要であれば全体的に交換され得る。しかしながら、セグメントは、新しいセグメントがそこにあるかのように、（ａ）１つ以上の他のセグメントと相互交換可能であるように、（ｂ）当該セグメントが逆にされ得るためにリバーシブルであるように、また、（ｃ）セグメントの未磨耗部分がチェーンからの磨耗を受ける別の位置に移動されるように配置され形成された孔を伴って形成され得ることが分かる。これにより、全てのセグメントが磨耗するまでセグメントを再利用することができ、更にコストを削減することができる。
【００１６】
本明細書には、より簡単にメンテナンスでき、メンテナンス費用がより安く、より実用的でより生産的である、便利で簡単に使用できるアンダーカッターが示されている。
【図面の簡単な説明】
【００１７】
【図１】アンダーカッターのバーの発明を示す半分解図である。
【図２】所定の位置にチェーンを伴っている、図１のアンダーカッターのバーの発明を示す図である。
【図３】上部部品の１つを示す図である。
【図４】本発明に係るバーの後方図である。
【図１】
0005869487.tif 000002
【図２】
0005869487.tif 000003
【図３】
0005869487.tif 000004
【図４】
0005869487.tif 000005